(57)【要約】通信ステーション（１）と複数のデータキャリア（２）との間での通信方法において、問い合わせサイクル（ＩＰＥＲ）を開始するために、問い合わせ信号形成手段（７）によって問い合わせ信号（ＩＤＢ）が形成され、この問い合わせ信号は全てのデータキャリア（２）に供給され、応答信号形成手段（６３）によって、各データキャリア（２）は応答信号（ＲＤＢ）を形成し、応答信号（ＲＤＢ）のうちの幾つかの応答信号（ＲＤＢ）は別個に受信され、また、幾つかの応答信号は別個ではなく受信され、通信ステーション（１）は、それぞれ別個に受信した応答信号（ＲＤＢ）を検出し、その結果、関連するデータキャリア（２）を識別し、認識信号（ＱＤＢ）は、応答信号（ＲＤＢ）が通信ステージョン（１）によって別個に受信されて識別された各データキャリア（２）に対して供給され、この識別信号（ＱＤＢ）は、各データキャリア（２）の識別信号検出手段（５９）によって検出され、したがって、識別された各データキャリア（２）をアイドル状態に設定し、通信ステーション（１）は、各認識信号（ＱＤＢ）を、拡張された問い合わせ信号（ＩＤＢ＋ＱＤＢ）の成分として、有利に形成する。
2004505388.tif 000002
【特許請求の範囲】
【請求項１】
通信ステーションと、通信ステーションの通信範囲内に存在するデータキャリアとの間の通信方法において、
問い合わせサイクルの開始に際して、通信ステーションは、通信範囲内に存在する全てのデータキャリアに対して問い合わせ信号を供給し、
問い合わせサイクル中において、通信範囲内に存在する全てのデータキャリアは、問い合わせ信号を受信するとともに、それぞれが問い合わせ信号に応じて応答信号を供給し、
通信ステーションは、全ての応答信号のうちの幾つかの応答信号を、個々に、したがって、別個に受信し、また、通信ステーションは、少なくとも２つの幾つかの応答信号を、同時に、したがって、別個にではなく受信し、
通信ステーションは、応答信号が通信ステーションによって別個に受信された任意のデータキャリアに対して認識信号を供給し、
応答信号が通信ステーションによって別個に受信されたデータキャリアは、認識信号を受信して評価し、認識信号の評価の結果、応答信号が通信ステーションによって別個に受信された各データキャリアは、通信ステーションによって次に供給される問い合わせ信号において無効にされ、
問い合わせサイクルの終了後、通信ステーションは、次の問い合わせサイクルを開始するために、問い合わせ信号を供給し、
通信ステーションは、各認識信号を、拡張された問い合わせ信号の成分として形成する方法。
【請求項２】
通信ステーションとデータキャリアとの間の通信が連続する時間帯で行なわれ、
データキャリアは、連続する時間帯において応答信号を供給し、
通信ステーションは、全ての応答信号のうちの幾つかの応答信号を、個々に、したがって、別個に受信し、各応答信号が１つの時間帯において単独で現れ、
デジタル信号の形態を成す認識信号が通信ステーションによって形成され、このデジタル信号は、所定数のメインビットを有するビット・ストリングであり、デジタル信号の各メインビットは、１つの時間帯に関連付けられ、データキャリアからの応答信号が単独で現れる１つの時間帯に関連付けられたこれらのメインビットは、所定のビット値に設定される請求項１に記載の方法。
【請求項３】
デジタル信号によって示される各メインビットには、デジタル信号によって示される少なくとも１つの別個のビットが加えられ、
各別個のビットのビット値は、データキャリアのパラメータとして形成される請求項２に記載の方法。
【請求項４】
各別個のビットのビット値は、信号強度の表示として形成され、この信号強度によって、通信ステーションは、データキャリアから応答信号を受信する請求項３に記載の方法。
【請求項５】
その通信範囲内に存在するデータキャリアと通信するための通信ステーションにおいて、
問い合わせ信号形成手段が設けられ、この問い合わせ信号形成手段によって、問い合わせサイクルの開始のために問い合わせ信号を形成することができ、また、転送手段が設けられ、この転送手段によって、形成された問い合わせ信号を通信範囲内に存在する全てのデータキャリアに供給することができ、これによって、問い合わせ信号を通信範囲内に存在する全てのデータキャリアによって受信することができ、
ステーション受信手段が設けられ、このステーション受信手段によって、受信された問い合わせ信号に応じて全てのデータキャリアによって供給された応答信号を受信することができ、
全ての応答信号のうちの幾つかの応答信号を、個々に、したがって、別個に受信することができ、また、少なくとも２つの幾つかの応答信号を、同時に、したがって、別個にではなく受信することができ、
認識信号形成手段が設けられ、この認識信号形成手段によって、応答信号が別個に受信された各データキャリアのための認識信号を形成することができ、この認識信号をステーション転送手段によって関連するデータキャリアに供給することができ、
認識信号形成手段および問い合わせ信号形成手段は、互いに協働して、認識信号を、拡張された問い合わせ信号の成分として形成することができるようになっている通信ステーション。
【請求項６】
通信ステーションは、連続する時間帯で通信するようになっており、
データキャリアは、連続する時間帯において応答信号を供給し、
全ての応答信号のうちの幾つかの応答信号を、個々に、したがって、別個に受信することができ、各応答信号が１つの時間帯において単独で現れ、
認識信号形成手段は、デジタル信号の形態を成す認識信号を形成するようになっており、このデジタル信号は、所定数のメインビットを有するビット・ストリングであり、デジタル信号の各メインビットは、１つの時間帯に関連付けられ、データキャリアからの応答信号が単独で現れる１つの時間帯に関連付けられたこれらのメインビットは、所定のビット値に設定される請求項５に記載の通信ステーション。
【請求項７】
認識信号形成手段は、デジタル信号の形態を成す認識信号を形成するようになっており、デジタル信号には各メインビットに１つの別個のビットが加えられ、各別個のビットのビット値は、データキャリアのパラメータの表示を形成する請求項６に記載の通信ステーション。
【請求項８】
認識信号形成手段は、デジタル信号の形態を成す認識信号を形成するようになっており、デジタル信号における各別個のビットのビット値は、信号強度の表示を形成し、この信号強度によって、通信ステーションは、データキャリアから応答信号を受信する請求項７に記載の通信ステーション。
【請求項９】
通信範囲を有する通信ステーションと通信するためのデータキャリアであって、そのようなデータキャリアは通信範囲内に存在し、
データキャリア受信手段が設けられ、このデータキャリア受信手段によって、通信ステーションによって供給された問い合わせ信号を受信することができ、
応答信号形成手段が設けられ、この応答信号形成手段によって、受信した問い合わせ信号に応じて応答信号を形成することができ、
データキャリア転送手段が設けられ、このデータキャリア転送手段によって、形成された応答信号を通信ステーションに供給することができ、
認識信号検出手段が設けられ、この認識信号検出手段によって、通信ステーションからデータキャリアに供給され且つデータキャリア受信手段によって受信された認識信号を検出することができ、認識信号検出手段は、拡張された問い合わせ信号の成分としてデータキャリアに供給され且つデータキャリア受信手段によって受信された認識信号を抽出するようになっているデータキャリア。
【請求項１０】
データキャリアは、連続する時間帯で通信するようになっており、
認識信号検出手段は、認識信号として受信したデジタル信号を検出するようになっており、このデジタル信号は、所定数のメインビットを有するビット・ストリングであり、デジタル信号の各メインビットは、１つの時間帯に関連付けられ、データキャリアからの応答信号が単独で現れる１つの時間帯に関連付けられたこれらのメインビットは、所定のビット値に設定される請求項９に記載のデータキャリア。
【請求項１１】
認識信号検出手段は、認識信号として受信されたデジタル信号を検出するようになっており、このデジタル信号には、少なくとも１つの別個のビットが各メインビットに加えられ、各別個のビットのビット値は、データキャリアのパラメータの表示を形成する請求項１０に記載のデータキャリア。
【請求項１２】
認識信号検出手段は、認識信号として受信されたデジタル信号を検出するようになっており、デジタル信号において、各別個のビットのビット値は、信号強度の表示を形成し、この信号強度によって、通信ステーションは、データキャリアから応答信号を受信する請求項１１に記載のデータキャリア。
【発明の詳細な説明】
【０００１】
本発明は、通信ステーションとデータキャリアとの間で通信する方法と、通信ステーションと、データキャリアとに関する。これらは全て既に知られており、通信ステーションと複数のそのようなデータキャリアとの間での通信中においては、通信ステーションは、問い合わせサイクル中に、まず第１に、通信ステーションの通信範囲内に存在する全てのデータキャリアに対して問い合わせ信号を供給する。その後、応答する各データキャリアは、応答信号を通信ステーションに供給する。データキャリアによって形成された応答信号においては、これらの幾つかの応答信号間で、いわゆる衝突、すなわち、少なくとも２つの応答信号がこれらを互いに区別することができない態様で現われるといった場合が生じる。その結果、通信ステーションは、少なくても部分的に見分けがつかない応答信号を形成するそれらのデータキャリアを明確に識別することができない。その後、そのようなデータキャリアには、認識信号が供給されず、あるいは、否定的な認識信号が供給される。しかしながら、データキャリアによって形成される応答信号のうち、幾つかの応答信号は、別箇に現れる。すなわち、これらの応答信号のそれぞれを互いに明確に区別することができ、これらの応答信号のそれぞれを通信ステーションによって明確に識別することができる。その後、通信ステーションは、明確に識別された応答信号に関し、この明確に識別された応答信号を供給したデータキャリアに対して認識信号を供給する。その結果、関連するデータキャリアが通信ステーションによって明確に識別されたという情報がデータキャリアに受信され、その後、この情報をデータキャリアで利用できる。
【０００２】
既知の方法、既知の通信ステーション、既知のデータキャリアの場合、通信ステーションは、まず最初に、問い合わせサイクル中において、問い合わせ信号を形成して、これを、通信ステーションの通信範囲内に存在する全てのデータキャリアに送信する。その後、通信ステーションが送信に設定され、データキャリアが受信に設定される。その後、通信ステーションが送信から受信に切換えられ、データキャリアが受信から送信に切換えられた後、データキャリアは、先に受信した問い合わせ信号に応答して、応答信号を通信ステーションに送信する。この時、データキャリアから通信ステーションへの応答信号の送信は、いわゆる時間帯で行なわれる。所定数の時間帯が選択され、各データキャリアは、各データキャリアの連続番号に基づいて、１つの時間帯に割り当てられる。
【０００３】
そのような時間帯内で、１または複数のデータキャリアは、まず第１に、応答信号を通信ステーションに送信する。その後、この時間帯において、通信が受信から送信に切換えられ、同時に、１または複数のデータキャリアが送信から受信に切換えられる。時間帯内におけるこの最初の切換え動作は、所定の切換え時間を必要とする。その後、通信ステーションは認識信号を送信する。この認識信号は、１つのデータキャリアだけが対応する時間帯に通信ステーションに応答信号を送信した場合には、肯定的な認識信号となり、複数のデータキャリアが対応する時間帯に通信ステーションに応答信号を送信した場合には、否定的な認識信号となる。認識信号の送信後、他の切換え動作が行なわれる。すなわち、ここで、通信ステーションが送信から受信に切換えられ、１または複数のデータキャリアが受信から送信に切換えられる。また、この切換え動作は、１つの時間帯内で所定の切換え時間を必要とする。このように、既知の方法においては、各時間帯毎に２つの切換え時間が生じ、これは、問い合わせサイクルの長さが比較的大きくなり、その結果、通信ステーションの通信範囲内に存在する全てのデータキャリアを複数の問い合わせサイクルによって明確に識別するために必要な時間が比較的長くなるという点で不都合である。
【０００４】
更に、既知の解決策では、任意の安全策を講じることなく、１ビットもしくは複数のビットを有するビット・スリングを示すデジタル信号である認識信号が、通信ステーションからデータキャリアに送信される。これは、混信を最小限に抑える、すなわち、混信を最大限に防止するという点では好ましくない。
【０００５】
本発明の目的は、前述した問題を防止して、低コストで簡単な方法により、改良された方法、改良された通信ステーション、改良されたデータキャリアを実現することである。
【０００６】
前記目的を達成するため、本発明に係る方法は、本発明に係る特徴的な構成を有している。そのような態様において、本発明に係る方法は、以下に規定される態様で特徴付けることができる。すなわち、
通信ステーションと、通信ステーションの通信範囲内に存在するデータキャリアとの間の通信方法において、問い合わせサイクルの開始において、通信ステーションは、通信範囲内に存在する全てのデータキャリアに対して問い合わせ信号を供給し、問い合わせサイクル中において、通信範囲内に存在する全てのデータキャリアは、問い合わせ信号を受信するとともに、それぞれが問い合わせ信号に応じて応答信号を供給し、通信ステーションは、全ての応答信号のうちの幾つかの応答信号を、個々に、したがって、別個に受信し、また、通信ステーションは、少なくとも２つの幾つかの応答信号を、同時に、したがって、別個にではなく受信し、通信ステーションは、応答信号が通信ステーションによって別個に受信された任意のデータキャリアに対して認識信号を供給し、応答信号が通信ステーションによって別個に受信されたデータキャリアは、認識信号を受信して評価し、認識信号の評価の結果、応答信号が通信ステーションによって別個に受信された各データキャリアは、通信ステーションによって次に供給される問い合わせ信号において無効にされ、問い合わせサイクルの終了後、通信ステーションは、次の問い合わせサイクルを開始するために、問い合わせ信号を供給し、通信ステーションは、各認識信号を、拡張された問い合わせ信号の成分として形成する。
【０００７】
前述した目的を達成するために、本発明に係る通信ステーションは、本発明に係る特徴的構成を有している。そのような態様において、本発明に係る通信ステーションは、以下に規定される態様で特徴付けることができる。すなわち、
その通信範囲内に存在するデータキャリアと通信するための通信ステーションにおいて、問い合わせ信号形成手段が設けられ、この問い合わせ信号形成手段によって、問い合わせサイクルの開始のために問い合わせ信号を形成することができ、また、転送手段が設けられ、この転送手段によって、形成された問い合わせ信号を通信範囲内に存在する全てのデータキャリアに供給することができ、これによって、問い合わせ信号を通信範囲内に存在する全てのデータキャリアによって受信することができ、ステーション受信手段が設けられ、このステーション受信手段によって、受信された問い合わせ信号に応じて全てのデータキャリアによって供給された応答信号を受信することができ、全ての応答信号のうちの幾つかの応答信号を、個々に、したがって、別個に受信することができ、また、少なくとも２つの幾つかの応答信号を、同時に、したがって、別個にではなく受信することができ、認識信号形成手段が設けられ、この認識信号形成手段によって、応答信号が別個に受信された各データキャリアのための認識信号を形成することができ、この認識信号をステーション転送手段によって関連するデータキャリアに供給することができ、認識信号形成手段および問い合わせ信号形成手段は、互いに協働して、認識信号を、拡張された問い合わせ信号の成分として形成することができるようになっている。
【０００８】
前述した目的を達成するために、本発明に係るデータキャリアは、本発明に係る特徴的構成を有している。そのような態様において、本発明に係るデータキャリアは、以下に規定される態様で特徴付けることができる。すなわち、
通信範囲を有する通信ステーションと通信するためのデータキャリアであって、そのようなデータキャリアは通信範囲内に存在し、データキャリア受信手段が設けられ、このデータキャリア受信手段によって、通信ステーションによって供給された問い合わせ信号を受信することができ、応答信号形成手段が設けられ、この応答信号形成手段によって、受信した問い合わせ信号に応じて応答信号を形成することができ、データキャリア転送手段が設けられ、このデータキャリア転送手段によって、形成された応答信号を通信ステーションに供給することができ、認識信号検出手段が設けられ、この認識信号検出手段によって、通信ステーションからデータキャリアに供給され且つデータキャリア受信手段によって受信された認識信号を検出することができ、認識信号検出手段は、拡張された問い合わせ信号の成分としてデータキャリアに供給され且つデータキャリア受信手段によって受信された認識信号を抽出するようになっている。
【０００９】
本発明に係る手段を提供することによって、低コストで簡単な方法により以下のことが達成できる。すなわち、問い合わせサイクルが実行される時に、通信ステーションによって形成することができる問い合わせ信号だけが、通信ステーションの通信範囲内に存在する全てのデータキャリアに送信され、その後、データキャリアによって形成することができる応答信号が通信ステーションに送信され、その結果、問い合わせサイクル中に、通信ステーションが送信から受信に切換えられ、同時に、問い合わせ信号の送信後で且つ応答信号の送信前にデータキャリアが受信から送信に切換えられるが、その後は、認識信号が通信ステーションによって有利に形成されるとともに、次に作動されて実行される問い合わせサイクルでのみ前記認識信号がデータキャリアに送信されるため、問い合わせサイクル中において更なる切換え動作は不要であり、そのため、先に行なわれた問い合わせサイクルの終了後で且つ次に行なわれる問い合わせサイクルの始めに受信から送信に通信ステーションを切換えるとともに、データキャリアを送信から受信に切換えることが当然に必要となる。すなわち、これは、通信ステーションによるその後の問い合わせ信号の送信およびデータキャリアによる問い合わせ信号の受信において、いずれにしても必要となる。しかしながら、本発明に係る手段によれば、問い合わせサイクルに必要な時間を明確に減らすことができる。その結果、通信ステーションの通信範囲内に存在する全てのレコードキャリアを複数の問い合わせサイクルによって明確に識別するために必要な時間は、比較的短く、序文で述べたような従来技術よりも明らかに短くなる。本発明に係る手段を提供することにより、他の利点が得られる。すなわち、前述した従来技術よりも実質的に混信を大きく低減しつつ、問い合わせ信号の成分を形成する認識信号の送信が行なわれるからである。その理由は、安全性の目的で、問い合わせ信号の送信が安全に送信されるからである。この場合、例えば、問い合わせ信号の送信は、所謂ＣＲＣチェックサムによって保護される。すなわち、いずれにしても存在する安全な特徴的構成は、問い合わせ信号に含まれる認識信号の送信のために別に使用される。
【００１０】
本発明に係る方法、本発明に係る通信ステーション、本発明に係るデータキャリアにおいては、請求項２、請求項６、請求項１０に規定された手段を別に採用することが有益であることが分かる。実際に、これらの実施例は、これらの実施例を用いて問い合わせサイクルの時間を短くすることができ、また、これらの実施例を用いて通信ステーションの通信範囲内に存在する全てのデータキャリアの識別を非常に迅速に行なうことができるため、特に有益であることが分かる。
【００１１】
また、前述した方法、前述した通信ステーション、前述したデータキャリアにおいては、請求項３，４，７，８，１１，１２に規定された手段をそれぞれ採用することが非常に有益であることが分かる。したがって、認識信号に結び付けられた別箇の情報を、本発明に係る通信ステーションから本発明に係るデータキャリアに対して簡単な方法で且つ簡単な形態で送信することができる。
【００１２】
本発明の前述した形態および更なる別の形態は、後述する実施例から明らかとなり、また、この例に基づいて説明する。
【００１３】
以下、一例として図面に示され且つ本発明を限定するものではない実施例に基づいて、本発明を詳細に説明する。
【００１４】
図１は、データキャリア（データ記憶媒体）２と通信するための通信ステーション１を示している。このうち、データキャリア２は図２に示されている。通信シテーション１とデータキャリア２との間の通信は、データキャリア２が通信ステーションの通信範囲内に位置している時、すなわち、データキャリア２がこのこの通信範囲内に存在している時に可能である。通信ステーション１およびデータキャリア２は、連続する時間帯ＴＳにおいて通信するようになっている。図３は、これらの時間帯のうち、時間帯ＴＳ１’，ＴＳ２’，ＴＳ３’，ＴＳ４’，．．．．．．．．．．ＴＳ８’およびＴＳ１”，ＴＳ２”，ＴＳ３”，．．．．．．．．を示している。
【００１５】
通信ステーション１は、電力供給を受ける通信ステーションの全ての部分に電力を供給するための電源３を有している。
【００１６】
通信ステーション１はマイクロコンピュータ４を更に有している。マイクロコンピュータ４は、バス通信５を介して、図１に示されていない所謂ホストコンピュータに接続されている。マイクロコンピュータ４は、プロセス制御手段６と、問い合わせ信号形成手段７と、認識信号形成手段８と、エンコード手段９と、デコード手段１０と、衝突検出手段１１と、信号強度検出手段１２とを有している。プロセス制御手段６は、各導電接続部１３，１４，１５，１６，１７を介して、それぞれの手段７，８，１０，１１，１２に接続されている。また、導電接続部１８が認識信号形成手段８と問い合わせ信号形成手段７との間に設けられ、導電接続部１９が問い合わせ信号形成手段７とエンコード手段９との間に設けられ、導電接続部２０がデコード手段１０と衝突検出手段１１との間に設けられ、導電接続部２１がデコード手段１０と信号強度検出手段１２との間に設けられている。
【００１７】
この場合、プロセス制御手段６はモード切換手段６Ａを有している。このモード切換手段６Ａによって、「送信」モードと「受信」モードとの間で切り換えることができる。図示しない方法で、モード切換手段６Ａは、切り換え、すなわち、「送信」モードと「受信」モードとの間で切り換えるために切り換えられるべき通信ステーション１の全ての部分の制御を行なう。そのようなモード切換手段６Ａは必ずしも設けられる必要はない。なぜなら、いずれにしても、見かけの時間に関する正確な情報と送信状態および受信状態の時間系列に関する情報とが通信ステーションにおいて利用できるからである。プロセス制御手段６は、応答信号識別手段６Ｂを更に有している。この応答信号識別手段６Ｂにより、データキャリア２によって供給され且つ通信ステーション１によって個別に受けられる各応答信号ＲＤＢを識別することができ、その結果、各データキャリア２を識別することができる。また、応答信号識別手段６Ｂは、デコード手段１０とプロセス制御手段６との間に設けられた１つのユニットの形態を成している。
【００１８】
問い合わせ信号形成手段７は、問い合わせ信号ＩＤＢを形成するようになっている。しかしながら、問い合わせ信号形成手段７は、問い合わせ信号ＩＤＢだけでなく、他のコマンド信号、例えば書き込みコマンド信号または読み込みコマンド信号あるいは消去信号および他の信号を形成することもできる。各問い合わせ信号ＩＤＢによって、問い合わせプロセスの問い合わせサイクルＩＰＥＲを開始することができる。問い合わせサイクルのうち、２つの問い合わせサイクルＩＰＥＲ１，ＩＰＥＲ２が図３に示されている。また、７つの問い合わせサイクルＩＰＥＲ１，ＩＰＥＲ２，ＩＰＥＲ３，ＩＰＥＲ４，ＩＰＥＲ５，ＩＰＥＲ６，ＩＰＥＲ７が図４に示されている。各問い合わせ信号ＩＤＢはデジタル信号の形態を成しており、このデジタル信号は、所定の数のビットからなるビット・ストリングである。この場合、問い合わせ信号ＩＤＢは、全部で１０×８ビット、すなわち、８０ビットからなる。ビット毎の信号持続時間は、４０μｓに対応しており、その結果、問い合わせ信号ＩＤＢの信号持続時間は、３２００μｓ＝３．２ｍｓの値を有している。
【００１９】
認識信号形成手段８は、認識信号ＱＤＢを形成するようになっている。認識信号形成手段８により、各データキャリア２に関して認識信号ＱＤＢを形成することができる。以下において詳細に述べるように、データキャリア２は、応答信号ＲＤＢを形成して供給するようになっており、そのような応答信号ＲＤＢは、データキャリアから通信ステーション１によって個別に受けられ、したがって、通信ステーション１によってはっきりと識別される。後述するステーション出力手段によって、認識信号ＱＤＢを、関連する識別されたデータキャリア２に供給することができる。
【００２０】
この場合、通信ステーション１は、認識信号形成手段８および問い合わせ信号形成手段７が互いに協働するように有利に構成されている。このような協働は、導電接続部１８が手段７と手段８との間に設けられているために可能となる。認識信号形成手段８によって形成された各認識信号ＱＤＢは、接続部１８を介して、問い合わせ信号形成手段７に与えることができる。問い合わせ信号形成手段７は、受けた認識信号ＱＤＢを、形成される問い合わせ信号ＩＤＢ内に組み込み或は埋め込む。その結果、各認識信号ＱＤＢを、拡張された問い合わせ信号ＩＤＢ＋ＱＤＢとして形成することができる。以下、拡張された問い合わせ信号を組み合わせ信号ＩＤＢ＋ＱＤＢと称する。
【００２１】
認識信号ＱＤＢにおいて述べると、この場合、各認識信号ＱＤＢは、デジタル信号によって形成される。このデジタル信号は、所定数のメインビットＭＢからなるビット・ストリングである。この場合、各認識信号は、全部で８メインビットＭＢからなる。メインビット毎の信号持続時間は４０μｓであり、その結果、認識信号ＱＤＢの全てのメインビットＭＢの信号持続時間は、３２０μｓ＝０．３２ｍｓの値を有している。
【００２２】
また、認識信号ＱＤＢにおいて述べると、非常に重要で且つ有利な特徴、すなわち、認識信号ＱＤＢを形成する各デジタル信号において、各メインビットが時間帯ＴＳに関連付けられ、データキャリア２から応答信号ＲＤＢが生じる時間帯にそれぞれ関連付けられるメインビットＭＢが所定のビット値、すなわち、この場合はビット値「１」を有しているという事実がある。この重要な特徴については、後で詳細に説明する。
【００２３】
認識信号ＱＤＢに関して述べると、他の重要な特徴、すなわち、認識信号ＱＤＢを形成する各デジタル信号において、別個のビットＡＢが各メインビットＭＢに加えられ、別個のビットＡＢのそれぞれのビット値がデータキャリア２のパラメータ表示を形成し、この場合のデータキャリア２のパラメータは、通信ステーション１がデータキャリア２から応答信号ＲＤＢを受けた信号強度によって形成されるという事実がある。この重要な手段についても、後で詳細に説明する。したがって、各認識信号ＱＤＢは８つの別個のビットＡＢを有しており、別個のビットＡＢ毎の信号持続時間は４０μｓであり、その結果、認識信号ＱＤＢの別個のビットの全てにおける信号持続時間は、３２０μｓ＝０．３２ｍｓの値を有している。
【００２４】
このように、認識信号ＱＤＢとして形成されるデジタル信号は、全部で２×８＝１６ビットから成り、これは、認識信号ＱＤＢに関する６４０μｓ＝０．６４ｍｓの信号持続時間を生じる。その結果、全部で１２×８ビットからなる組み合わせ信号ＩＤＢ＋ＱＤＢは、３．８４ｍｓの信号持続時間を有する。
【００２５】
エンコード手段９は、組み合わせ信号ＩＤＢ＋ＱＤＢをエンコードするようになっている。この場合、エンコード手段９は、所謂マンチェスター・コーディングを行なうようになっている。エンコード手段９は、エンコード後に、エンコードされた組み合わせ信号（ＩＤＢ＋ＱＤＢ）ＣＯＤを供給する。
【００２６】
通信ステーション１は、変調器２２とキャリア信号発生器２３とを更に有している。キャリア信号発生器２３は、変調されていないキャリア信号ＣＳを形成することができる。変調器２２は、ライン２４を介して、エンコードされた組み合わせ信号（ＩＤＢ＋ＱＤＢ）ＣＯＤを受けるとともに、別のライン２５を介して、変調されていないキャリア信号ＣＳを受けるように設けられている。変調器２２は、エンコードされた組み合わせ信号（ＩＤＢ＋ＱＤＢ）ＣＯＤに基づいて、変調されていないキャリア信号ＣＳの振幅変調を行なうようになっている。変調後、変調器２２は、エンコードされた組み合わせ信号（ＩＤＢ＋ＱＤＢ）ＣＯＤに基づいて、振幅変調されたキャリア信号ＣＳ（ＡＫ）をその出力部で供給する。
【００２７】
変調器２２による変調されていないキャリア信号ＣＳのそのような振幅変調は、通信ステーション１の「送信」モードで行なわれる。この「送信」モードでは、信号を通信ステーション１からデータキャリア２に供給することができるように、通信ステーションの部品が制御される。既に述べたように、通信ステーション１は、「受信」モードに設定することができる。この「受信」モードにおいて、キャリア信号発生器２３は、変調されていないキャリア信号ＣＳを、ライン２５を介して、変調器２２に供給する。しかし、「受信」モードにおいて、変調器２２は、変調されていないキャリア信号ＣＳを振幅変調しない。その結果、変調器は、変調されていないキャリア信号ＣＳを、その出力で供給する。
【００２８】
通信ステーション１は、ライン２６Ａを介して変調器２２に接続された電力増幅器２６を更に有している。電力増幅器２６により、「送信」モードにおいて、振幅変調されたキャリア信号ＣＳ（ＡＳＫ）を増幅することができるとともに、「受信」モードにおいて、変調されていないキャリア信号ＣＳを増幅することができる。増幅時、作動している動作モードに基づいて、２つの信号ＣＳ（ＡＳＫ），ＣＳのうちの一方が、通信ステーション１の転送手段２７に与えられる。転送手段２７は、ステーション送信手段およびステーション受信手段の両方を形成する。転送手段２７は、図１に示される送信コイル２８を有している。「送信」モードにおいて、転送手段２７は、その後、ステーション送信手段として動作し、振幅変調されたキャリア信号ＣＳ（ＡＳＫ）を、通信ステーション１の通信範囲内に存在する全てのデータキャリア２に送信することができる。その結果、通信ステーション１の通信範囲内に存在する全てのデータキャリア２３によって、振幅変調されたキャリア信号ＣＳ（ＡＳＫ）を受けることができる。振幅変調されたキャリア信号ＣＳ（ＡＳＫ）は、問い合わせ信号ＩＤＢおよび認識信号ＱＤＢであるエンコードされた組み合わせ信号（ＩＤＢ＋ＱＤＢ）ＣＯＤを示すため、形成された各問い合わせ信号ＩＤＢおよび形成された各認識信号ＱＤＢを、転送手段２７によって、通信ステーション１の通信範囲内に存在する全てのデータキャリア２に送信することができる。その結果、通信ステーション１の通信範囲内に存在する全てのデータキャリア２によって、形成された各問い合わせ信号ＩＤＢおよび形成された各認識信号ＱＤＢを受けることができる。
【００２９】
問い合わせ信号ＩＤＢの受信に応じて、通信ステーション１の通信範囲内に存在する各データキャリア２は、応答信号ＲＤＢを形成する。これについては、後に詳細に説明する。各データキャリア２によって形成される応答信号ＲＤＢは、通信ステーション１の転送手段２７に非変調形式で与えられた変調されていないキャリア信号ＣＳのロード変調によって、関連するデータキャリア２から通信ステーション１に送信される。この場合、無論、通信ステーション１は、「受信」モードである。「受信」モードにおいて、転送手段２７は、ステーション受信手段として動作する。「受信」モードにおいて、転送手段２７は、受けた問い合わせ信号ＩＤＢに応じて、通信ステーションの通信範囲内の全てのデータキャリア２によって供給される全ての応答信号ＲＤＢを受けることができる。この点に関しては、図３を参照すると、そのような応答信号ＲＤＢ、すなわち、応答信号ＲＤＢ−２Ａ，ＲＤＢ−２Ｂ，ＲＤＢ−２Ｃ，ＲＤＢ−２Ｄ，ＲＤＢ−２Ｅ，ＲＤＢ−２Ｆ，ＲＤＢ−２Ｇ，ＲＤＢ−２Ｓが示されている。文字Ａ，Ｂ，Ｃ，Ｄ，Ｅ，Ｆ，Ｇ，Ｓは、異なるデータキャリア２すなわちデータキャリア２Ａ，２Ｂ，２Ｃ，２Ｄ，２Ｅ，２Ｆ，２Ｇ，２Ｓから応答信号が生じていることを示すためのものである。図３から明らかなように、全ての応答信号のうちの幾つかの応答信号ＲＤＢ−２Ａ，ＲＤＢ−２Ｇ，ＲＤＢ−２Ｓ，ＲＤＢ−２Ｃ，ＲＤＢ−２Ｆはそれぞれ、個別に受信されることが可能であり、その結果、時間帯ＴＳ１’，ＴＳ４’，ＴＳＤ８’，ＴＳ２”，ＴＳ３”においてそれぞれ現れる時に別々に単独で受信されることが可能である。他の幾つかの応答信号ＲＤＢ−２Ｂ，ＲＤＢ−２Ｃ，ＲＤＢ−２Ｄ，ＲＤＢ−２Ｅ，ＲＤＢ−２Ｆおよび更にＲＤＢ−２Ｂ，ＲＤＢ−２Ｅは、少なくとも対で受信されることが可能であり、その結果、時間帯ＴＳ２’，ＴＳ３’，ＴＳ１”において個別に現れることはなく、少なくとも対で現れる。
【００３０】
データキャリア２によって送信され且つ通信ステーションによって受信される各応答信号ＲＤＢは、デジタル信号によって形成される。このデジタル信号は、所定数のビットを有するビット・ストリングである。この場合、このビット・ストリングは、８×８＝６４ビットから成る。ビット毎の信号持続時間は約４０μｓであり、その結果、応答信号ＲＤＢに関する信号持続時間は、２．５６ｍｓの値を有している。
【００３１】
この場合、既に述べたように、先のエンコード後にデータキャリア２によって形成される応答信号ＲＤＢは、通信ステーションのキャリア信号発生器２３によって形成された変調されていないキャリア信号ＣＳのロード変調によって通信ステーションに送信することができる。その結果、転送手段２７は、ライン３１を介して通信ステーション１のフィルタ手段３０に与えることができるロード変調されたキャリア信号ＣＳ（ＬＭ）を形成する。ロード変調されたキャリア信号ＣＳ（ＬＭ）がフィルタに通されると、ライン３２を介してロード変調されたキャリア信号ＣＳ（ＬＭ）を通信ステーション１の復調器３３に与えることができる。ロード変調されたキャリア信号ＣＳ（ＬＭ）を復調器３３によって復調することができる。復調後、復調器３３は、ライン３４を介して、エンコードされた応答信号（ＲＤＢ）ＣＯＤを増幅器３５に供給する。この増幅器は、増幅されたエンコード応答信号（ＲＤＢ）ＣＯＤを、マイクロコンピュータによって実現されたデコード手段１０に供給する。
【００３２】
デコード手段１０は、ここに与えられたエンコードされた応答信号（ＲＤＢ）ＣＯＤをデコードするようになっている。デコードが終了した後、デコード手段１０は、デコードされた応答信号ＲＤＢを供給する。その後、応答信号ＲＤＢは、応答信号識別手段６Ｂに与えられる。この場合、応答信号識別手段６Ｂは、プロセス制御手段６内に含まれている。応答信号識別手段６Ｂによって、単独で現れる応答信号ＲＤＢを明確に識別することができる。
【００３３】
また、応答信号ＲＤＢは、衝突検出手段１１に与えられる。衝突検出手段１１は、１つのデータキャリア２からの１つの応答信号ＲＤＢが１つの時間帯ＴＳにおいて現れたか否か、あるいは、２つ以上のデータキャリア２からの複数の応答信号ＲＤＢが１つの時間帯ＴＳで現れたか否かを検出するようになっている。１つの応答信号ＲＤＢだけが時間帯ＴＳにおいて受信される場合、衝突検出手段１１は、導電接続部１６を介して、否定的な衝突情報ＮＣＯＬをプロセス制御手段６に供給する。しかしながら、少なくとも２つの応答信号ＲＤＢが１つの時間帯ＴＳにおいて受信された場合には、衝突検出手段１１は、肯定的な衝突情報ＹＣＯＬをプロセス制御手段６に供給する。
【００３４】
また、デコード手段１０によって供給された応答信号ＲＤＢを、導電接続部２１を介して、信号強度検出手段１２に与えることができる。信号強度検出手段１２は、受信後に、データキャリアによって送信され且つ通信ステーションによって受信される応答信号ＲＤＢの信号強度が所定の閾値を下回っているか或はこの閾値を上回っているか否かを検出することができるようになっている。信号強度が閾値を下回っている場合には、信号強度検出手段１２は、導電接続部１７を介して、低レベル情報ＬＬＩ１をプロセス制御手段６に供給する。逆に、信号強度が閾値を超えている場合には、信号強度検出手段１２は、高レベル情報ＨＬＩ１を作動手段６に供給する。
【００３５】
以下、図２に示されるデータキャリア２について説明する。
【００３６】
データキャリア２は、データキャリア受信手段およびデータキャリア送信手段の両方を形成する転送手段４０を有している。転送手段４０は、図２に示される送信コイル４１を有している。転送手段４０は、送信コイル４１とともに共振回路を形成する図示しないキャパシタ・コンフィギュレーションを更に有している。共振回路の共振周波数は、変調されていないキャリア信号ＴＳの周波数に対応している。
【００３７】
通信ステーション１によって供給される問い合わせ信号および通信ステーション１によって供給される認識信号ＱＤＢは、転送手段４０によって受信することができる。また、転送手段４０によって、データキャリア２によって形成された応答信号ＲＤＢを、通信ステーション１に供給することができる。応答信号ＩＤＢおよび認識信号ＱＤＢの受信、すなわち、組み合わせ信号ＩＤＢ＋ＱＤＢの受信は、エンコードされた組み合わせ信号（ＩＤＢ＋ＱＤＢ）ＣＯＤに対応する振幅変調されたキャリア信号ＣＳ（ＡＫ）を受信することによって行なわれる。形成された応答信号ＲＤＢの供給は、エンコードされた応答信号（ＲＤＢ）ＣＯＤに対応し且つ応答信号ＲＤＢに対応するロード変調されたキャリア信号ＣＳ（ＬＭ）によって行なわれる。
【００３８】
データキャリア２は電気回路４２を有している。電気回路４２は、集積回路の形態を成すとともに、ライン４４を介して転送手段４０に接続される端子４３を有している。端子４３は、整流手段４５と、クロック信号再生手段４６と、復調器４７と、変調器４８とに接続されている。
【００３９】
整流手段４５は、端子４３に現れる信号、すなわち、振幅変調されたキャリア信号ＣＳ（ＡＳＫ）またはロード変調されたキャリア信号ＣＳ（ＬＭ）の整流を行なって、これらの信号から直流電圧Ｖを得るようになっている。この直流電圧Ｖは、供給電圧を必要とするデータキャリア２の回路４２の全部品に対して給電するために使用することができる。
【００４０】
クロック信号再生手段４６によって、振幅変調されたキャリア信号ＣＳ（ＡＳＫ）またはロード変調されたキャリア信号ＣＳ（ＬＭ）からクロック信号を再生することができる。再生が終了すると、クロック信号再生手段４６は、再生されたクロック信号ＣＬＫをライン４９上に形成する。
【００４１】
復調器４７は、振幅復調器であり、振幅変調されたキャリア信号ＣＳ（ＡＳＫ）を復調するようになっている。振幅変調されたキャリア信号ＣＳ（ＡＳＫ）の振幅復調が完了した後、復調器４７は、振幅復調された組み合わせ信号（ＩＤＢ＋ＱＤＢ）ＣＯＤをライン５０に送信する。
【００４２】
変調器４８は、ロード変調手段によって形成されており、変調されていないキャリア信号ＣＳのロード変調を行なうようになっている。変調される信号をライン５１を介して変調器４８に与えることができる。すなわち、エンコードされた応答信号（ＲＤＢ）ＣＯＤに基づいて、変調されていないキャリア信号ＣＳのロード変調を行なうために、エンコードされた応答信号（ＲＤＢ）ＣＯＤを変調器４８に与えることができる。変調器４８によるロード変調の結果、ロード変調されたキャリア信号ＣＳ（ＬＭ）が得られる。ロード変調されたキャリア信号ＣＳ（ＬＭ）は、変調器４８の出力部で現れるとともに、端子４３を介して転送手段４０で利用可能であり、また、転送手段４０によって通信ステーション１の転送手段２７に転送される。
【００４３】
データキャリア２の回路４２は、ライン５３を介して整流手段４５に接続された信号強度検出手段５２を更に有している。信号強度検出手段５２は、通信ステーション１によって供給される振幅変調されたキャリア信号ＣＳ（ＡＳＫ）が閾値を下回る信号強度でデータキャリア２により受信されたか或は閾値を上回る信号強度でデータキャリア２により受信されたかを検出するようになっている。この目的のために実行される検出プロセスは、整流手段４５によって供給される直流供給電圧Ｖを使用して実行される。振幅変調されたキャリア信号ＣＳ（ＡＳＫ）が高い信号強度で受信された場合には、信号強度検出手段は、高レベル情報ＨＬＩ２をライン５４に供給する。逆に、振幅変調されたキャリア信号ＣＳ（ＡＳＫ）が低い信号強度で受信された場合には、信号強度検出手段は、低レベル情報ＬＬＩ２をライン５４に供給する。前記情報ＨＬＩ２，ＬＬＩ２は、ライン５４を介してマイクロコンピュータ５５に与えることができる。マイクロコンピュータ５５内においては、導電ライン７６を介して前記情報ＨＬＩ２，ＬＬＩ２をプロセス制御手段５６に与えることができる。
【００４４】
データキャリア２の回路４２は、マイクロコンピュータ５５を有している。マイクロコンピュータ５５によってプロセス制御手段５６が実現される。プロセス制御手段５６は切換手段５６Ａを有している。切換手段５６Ａは、「受信」モードと「送信」モードとの間でデータキャリア２を切り換えるようになっている。そのような切換を必要とする回路４２の全ての部品を切換手段５６によって切り換えることができる。マイクロコンピュータ５５は、ライン４９を介して、再生されたクロック信号ＣＬＫを受信する。このクロック信号ＣＬＫは、マイクロコンピュータ５５内において通常知られた方法で使用される。
【００４５】
なお、マイクロコンピュータ５５の代わりに、ハードワイヤード論理回路が設けられても良い。
【００４６】
また、マイクロコンピュータ５５は、デコード手段５７と、問い合わせ信号検出手段５８と、認識信号検出手段５９と、ユーザデータ記憶部６１および連続番号記憶部６２を有する記憶手段６０と、問い合わせ信号形成手段６３と、エンコード手段６４と、時間帯決定手段６５と、時間帯数記憶手段６６とを実現するために使用される。
【００４７】
デコード手段５７は、ライン５０を介して、復調器４７に接続されている。デコード手段５７によって、エンコードされた組み合わせ信号（ＩＤＢ＋ＱＤＢ）ＣＯＤをデコードすることができる。デコードの終了時、デコード手段５７は、組み合わせ信号ＩＤＢ＋ＱＤＢを供給する。組み合わせ信号ＩＤＢ＋ＱＤＢは、問い合わせ信号検出手段５８および認識信号検出手段５９の両方に供給される。
【００４８】
通信ステーション１からデータキャリア２に送信された問い合わせ信号ＩＤＢは、問い合わせ信号検出手段５８によって検出して評価することができる。検出された問い合わせ信号ＩＤＢは、問い合わせ信号検出手段５８で利用できる。検出された問い合わせ信号ＩＤＢの評価時、問い合わせ信号検出手段５８は、導電接続部６７を介して、第１の検出情報ＲＥＳ１をプロセス制御手段５６に供給する。
【００４９】
通信ステーション１からデータキャリア２に送信されて転送手段４０によって受信された認識信号ＱＤＢは、認識信号検出手段５９によって検出して評価することができる。検出された認識信号ＱＤＢは、認識信号検出手段５９で利用できる。評価時、認識信号検出手段５９は、第２の検出情報ＲＥＳ２をプロセス制御手段５６に供給する。
【００５０】
この場合、認識信号検出手段５９は、組み合わせ信号ＩＤＢ＋ＱＤＢの成分としてデータキャリア２に送信され且つ転送手段４０によって受信される認識信号ＱＤＢを抽出する。認識信号検出手段５９は、認識信号ＱＤＢとして受信されたデジタル信号を評価するようになっている。このデジタル信号は所定数のメインビットを有するビット・ストリングであり、デジタル信号においては、各メインビットが１つの時間帯ＴＳと関連付けられている。これらのメインビットは１つの時間帯ＴＳに関連付けられており、時間帯ＴＳにおいては、データキャリア２からの１つの応答信号ＲＤＢだけが所定のビット値、この場合にはビット値「１」を有して現れる。この重要な特徴については、後に詳しく述べる。
【００５１】
認識信号検出手段１９について述べると、認識信号検出手段５９は、認識信号ＱＤＢとして受信された差信号を評価するようになっていることが重要である。このデジタル信号においては、少なくとも１つの別個のビットが各メインビットに加えられ、別個のビットのそれぞれのビット値がデータキャリア２のパラメータ表示を形成する。この場合、データキャリア２の表示パラメータは、通信ステーション１がデータキャリア２から応答信号ＲＤＢを受信する信号強度である。
【００５２】
記憶手段６０は、データキャリア２内で必要で且つデータキャリア２にとって重要なデータおよび情報を記憶するようになっている。ユーザデータ記憶部６１は、主に、ユーザデータすなわちデータキャリア２のユーザのデータを記憶するようになっている。例えば、ユーザデータ記憶部６１は、クレジットの値、価格の大きさ、型表示、および、多くの他のデータを記憶するようになっている。連続番号記憶部６２は、所謂、データキャリア２の特徴である連続番号ＳＮＲを記憶するようになっている。特定の連続番号ＳＮＲが各データキャリア２に割り当てられて連続番号記憶部６２に記憶される。その結果、連続番号ＳＮＲによって、各データキャリア２を他の全てのデータキャリア２から区別することができる。記憶手段６０は導電接続部６９を介してプロセス制御手段５６に接続されており、接続部６９によって双方向通信（読み出し／書き込み）が可能である。
【００５３】
応答信号形成手段６３は、導電接続部７０を介して、プロセス制御手段５６に接続されている。また、応答信号形成手段６３は、導電接続部７１を介して、連続番号記憶部６２に接続されている。応答信号形成手段６３は応答信号ＲＤＢを形成するようになっており、連続番号記憶部に記憶された連続番号は、応答信号ＲＤＢ内に反映される。応答信号形成手段６３によって形成された応答信号ＲＤＢは、導電接続部７２を介して、エンコード手段６４に与えられる。エンコード手段６４は、与えられた応答信号ＲＤＢをエンコードするとともに、エンコードされた応答信号（ＲＤＢ）ＣＯＤをライン５１に供給し、結果として変調器４８に供給する。エンコード手段６４は、所謂マンチェスターコードにしたがって応答信号ＲＤＢをエンコードするようになっている。
【００５４】
既に述べたように、データキャリア２は、連続する時間帯ＴＳにおいて通信するようになっている。複数の時間帯ＴＳのうちのどの時間帯ＴＳでデータキャリア２がその応答信号ＱＤＢを通信ステーション１に送信するべきかをデータキャリア２に関して決定するために、時間帯数決定手段６５が設けられている。この場合、時間帯数決定手段６５は、導電接続部７３を介して、連続番号記憶部６２に接続されている。連続番号ＳＮＲの一部が連続番号記憶部６２から接続部７３を介して時間帯数決定手段６５に与えられる度に、結果として、時間帯数決定手段６５は、与えられた連続番号ＳＮＲの部分に基づいて、いちいち、時間帯数ＴＳＮＯを決定する。時間帯数ＴＳＮＯが決定された後、時間帯数ＴＳＮＯは、導電接続部７４を介して、時間帯数記憶手段６６に与えられる。既に決定された時間帯数ＴＳＮＯが時間帯数記憶手段６６に記憶される。時間帯数記憶手段６６に記憶された時間帯数ＴＳＮＯは、前記手段から読み取ることが可能であり、また、導電接続部７５を介してプロセス制御手段５６に与えることができる。
【００５５】
なお、時間帯数ＴＳＮＯの形成および決定は、連続番号ＳＮＲ以外の方法、例えば乱数発生によって行なっても良い。
【００５６】
以下、図１に示された通信ステーション１とデータキャリア２Ａ，２Ｂ，２Ｃ，２Ｄ，２Ｅ，２Ｆ，２Ｇ，２Ｋ，２Ｌ，２Ｍ，２Ｎ，２Ｐ，２Ｓ，２Ｕ，２Ｖ，２Ｗ，２Ｘ，２Ｙ，２Ｚとの間での通信方法について説明する。各データキャリア２のユーザデータ記憶部６１内にデータを書き込んだり、このユーザデータ記憶部６１からデータを読み取ったりすることができる全体の通信プロセスのうち、関連する部分だけ、すなわち、そのような通信プロセスの最初に必要な問い合わせプロセスについてのみ説明する。問い合わせプロセスにおいては、問い合わせプロセスの最初に通信ステーション１の通信範囲内に既に存在する全てのデータキャリア２、および、そのような問い合わせプロセス中に通信ステーション１の通信範囲に新たに入るデータキャリア２が正確に検知されて識別される。以下、この問い合わせプロセスについて、図３および図５を参照しながら説明する。
【００５７】
問い合わせプロセスは、開始の瞬間ＳＴＡＲＴ（図４の項目１参照）で始まる。開始の瞬間ＳＴＡＲＴにおいて、通信ステーション１は「送信」モードであり、通信ステーション１の通信範囲内に存在する全てのデータキャリア２は「受信」モードである。開始の瞬間ＳＴＡＲＴで、第１の問い合わせサイクルＩＰＥＲ１が始まる。
【００５８】
開始の直後（図４の項目２参照）、通信ステーション１の問い合わせ信号形成手段７および認識信号形成手段８によって第１の組み合わせ信号（ＩＤＢ＋ＱＤＢ）１が形成され、この第１の組み合わせ信号（ＩＤＢ＋ＱＤＢ）１は、通信ステーション１により、このステーションの通信範囲内に存在する全てのデータキャリア２に送信される。この瞬間においては、データキャリア２Ａ，２Ｂ，２Ｃ，２Ｄ，２Ｅ，２Ｆ，２Ｇ，２Ｓが通信ステーションの通信範囲内にあると仮定する。第１の組み合わせ信号（ＩＤＢ＋ＱＤＢ）１内の問い合わせ信号ＩＤＢの正確な構造については、本発明に無関係であるため、ここでは詳細に説明しない。第１の組み合わせ信号（ＩＤＢ＋ＱＤＢ）１内に含まれる第１の認識信号ＱＤＢ１（図４の項目２．１参照）に関して再び述べると、この認識信号ＱＤＢ１は、任意の更なる認識信号とともに、８つのメインビットＭＢおよび８つの別個のビットＡＢから成る。各メインビットＭＢおよび別個の各ビットＡＢは、ビット対を形成する。各ビット対は、１つの時間帯、すなわち、第１の認識信号ＱＤＢ１の場合には時間帯ＴＳ１’，ＴＳ２’，ＴＳＤ３’，ＴＳ４’，ＴＳ５’，ＴＳＤ６’， ＴＳ７’，ＴＳ８’に関連付けられている。図４の項目２．１から明らかなように、第１の認識信号ＱＤＢ１の全てのメインビットＭＢおよび全ての別個のビットＡＢは、値「０」を有している。
【００５９】
第１の組み合わせ信号（ＩＤＢ＋ＱＤＢ）１の送信後、通信ステーション１は、モード切換手段６Ａによって、「送信」モードから「受信」モードに切り換えられるとともに、全てのデータキャリア２は、切換手段５６Ａによって、「受信」モードから「送信」モードに切り換えられる。この第１の切換プロセスは、特定の切換時間ＳＴを必要とする。この場合、切換時間ＳＴのために３０２μｓの値が選択される。
【００６０】
前述したデータキャリアが組み合わせ信号（ＩＤＢ＋ＱＤＢ）１を受信した後、この信号は、問い合わせ信号検出手段５８および認識信号検出手段５９によって評価される。第１の組み合わせ信号（ＩＤＢ＋ＱＤＢ）１内の問い合わせ信号の評価については、この場合、関係がないため、更に詳細に説明しない。第１の認識信号ＱＤＢ１に関して述べると、全てが値「０」を有する全てのメインビットＭＢの評価は、存在するデータキャリ２のいずれも受信を認識していないという結果をもたらす。第１の認識信号ＱＤＢ１における別個のビットＡＢの評価は、これまでのところ、通信ステーション１に応答信号ＲＤＢを送信するデータキャリア２がないことを示している。
【００６１】
その後、前述した複数のデータキャリアは、個々に、どの時間帯で応答信号ＲＤＢを形成するのかについて決定を下す。これは、時間帯数決定手段６５によって行なわれる。各時間帯が決定された後、各データキャリア２の応答信号形成手段６３が応答信号ＲＤＢを形成し、これによって、この場合、応答信号ＲＤＢ−２Ａ，ＲＤＢ−２Ｂ，ＲＤＢ−２Ｃ，ＲＤＢ−２Ｄ，ＲＤＢ−２Ｅ，ＲＤＢ−２Ｆ，ＲＤＢ−２Ｇ，ＲＤＢ−２Ｓが第１の問い合わせサイクルＩＰＥＲ１中に形成され、これらの応答信号は通信ステーション１に送信される。図３および図４（図４の項目３参照）から明らかなように、前述した応答信号は、特定の時間帯に通信ステーション１に送信される。すなわち、ＴＳ’ではＲＤＢ−２Ａが送信され、ＴＳ２’ではＲＤＢ−２Ｂ，ＲＤＢ−２Ｃが送信され、ＴＳ３’ではＲＤＢ−２Ｄ，ＲＤＢ−２Ｅ，ＲＤＢ−２Ｆが送信され、ＴＳ４’ではＲＤＢ−２Ｇが送信され、ＴＳ８’ではＲＤＢ−２Ｓが送信される。したがって、全ての応答信号のうちの幾つかの応答信号ＲＤＢ−２Ａ，ＲＤＢ−２Ｇ，ＲＤＢ−２Ｓは、送信ステーション１に個別に受信され、したがって、時間帯ＴＳ１’，ＴＳ４’，ＴＳ８’において個々に単独で現われ、また、他の幾つかの応答信号ＲＤＢ−２Ｂ，ＲＤＢ−２Ｃ，ＲＤＢ−２Ｄ，ＲＤＢ−２Ｅ，ＲＤＢ−２Ｆは、単独ではなく２個または３個の組み合わせで通信ステーション１に受信されるといった状態が得られる。
【００６２】
通信ステーション１によって受信された応答信号ＲＤＢは、デコード手段１０から、導電接続部１５を介して、プロセス制御手段６と、衝突検出手段１１と、信号強度検出手段１２とに与えられる。時間帯ＴＳ１’における応答信号ＲＤＢ−２Ａの場合、時間帯ＴＳ４’における応答信号ＲＤＢ−２Ｇの場合、時間帯ＴＳ８’における応答信号ＲＤＢ−２Ｓの場合、衝突検出手段１１は、２つの応答信号ＲＤＢ間で衝突がないことを検出し、その結果、前記手段は、接続部１６を介して否定的な衝突情報ＮＣＯＬをプロセス制御手段６に送信する。しかしながら、衝突検出手段１１が時間帯ＴＳ２’および時間帯ＴＳ３’において応答信号ＲＤＢ間の衝突を検出すると、すなわち、応答信号ＲＤＢ−２Ｂと応答信号ＲＤＢ−２Ｃとの間の衝突、および、ＲＤＢ−２ＤとＲＤＢ−２ＥとＲＤＢ−２Ｆとの間の衝突を検出すると、衝突検出手段１１は、２つの時間帯ＴＳ２’，ＴＳ３’のそれぞれにおいて衝突を検出し、接続部６を介して肯定的な衝突情報ＹＣＯＬをプロセス制御手段６に与える。また、受信された応答信号ＲＤＢの信号強度は、信号強度検出手段１２によって検出されて決定される。前述した全ての応答信号が高い信号レベルで受信されたと仮定すると、信号強度検出手段１２は、受信した各応答信号に関して高レベルを検出し、その結果、接続部１７を介して高レベル情報ＨＬＩ１をプロセス制御手段６に与える。前述した状態において、応答信号ＲＤＢ−２Ａ，ＲＤＢ−２Ｇ，ＲＤＢ−２Ｓは、プロセス制御手段６に含まれる応答信号識別手段６Ｂによって明確に識別される。その結果、関連するデータキャリア２Ａ，２Ｇ，２Ｓは、明確に識別されたと見なされる。
【００６３】
第１の問い合わせサイクルＩＰＥＲ１中に通信ステーション１によって受信された全ての応答信号の評価および処理の後、通信ステーション１において、「受信」モードから「送信」モードへの切換えがモード切換手段６Ａによって行なわれるとともに、全てのデータキャリア２において、「送信」モードから「受信」モードへの切換えがモード切換手段５６Ａによって行なわれる。また、この第２の切換プロセスも、所定の切換時間、すなわち、この場合は３０２μｓの値を有する切換時間ＳＴを必要とする。前述した切換プロセスの後、第１の問い合わせサイクルＩＰＥＲ１が終了する。
【００６４】
第１の問い合わせサイクルＩＰＥＲ１の後、第２の問い合わせサイクルＩＰＥＲ２が開始される。第２の問い合わせサイクルＩＰＥＲ２の開始直後、通信ステーション１は、第２の組み合わせ信号（ＩＤＢ＋ＱＤＢ）２を形成する（図４の項目４参照）。この第２の組み合わせ信号（ＩＤＢ＋ＱＤＢ）２は、第２の認識信号ＱＤＢ２を含んでいる（図４の項目４．１参照）。この第２の認識信号ＱＤＢ２は、第１の問い合わせサイクルＩＰＥＲ１中において、接続部１５を介してデコード手段１０により、また、接続部１６を介して衝突検出手段１１により、また、接続部１７を介して信号強度検出手段１２により、プロセス制御手段６に与えられる。時間帯ＴＳ１’，ＴＳ４’，ＴＳ８’で１つの応答信号ＲＤＢ−２Ａ，ＲＤＢ−２Ｇ，ＲＤＢ−２Ｓが発生した結果、第１の時間帯、第４の時間帯、第８の時間帯にそれぞれ関連する第２の認識信号ＱＤＢ２のメインビットＭＢは値「１」に設定され、一方、第２の時間帯および第３の時間帯に関連するメインビットＭＢは、第１の問い合わせサイクルＩＰＥＲ１におけるこれらの２つの時間帯のそれぞれにおいて衝突が検出されたため、値「０」に設定されている。第１の問い合わせサイクルＩＰＥＲ１中に受信された全ての応答信号が高い信号強度すなわち高信号レベルで受信されたため、第１、第２、第３、第４、第８の時間帯に関連する第２の認識信号ＱＤＢ２における全ての別個のビットＡＢは、値「１」に設定されている。
【００６５】
前述した第２の認識信号ＱＤＢ２は、拡張された認識信号の成分として、すなわち、第２の組み合わせ信号（ＩＤＢ＋ＱＤＢ）２の成分として、通信ステーション１の通信範囲内に位置して未だ識別されていない全てのデータキャリア２に送信される。図４（図４の項目５参照）から明らかなように、第２の問い合わせサイクルＩＰＥＲ２中においては、第１の問い合わせサイクルＩＰＥＲ１中に通信ステーション１の通信範囲内に既に存在していた２Ａ，２Ｂ，２Ｃ，２Ｄ，２Ｅ，２Ｆ，２Ｇ，２Ｓだけでなく、新たに入ったデータキャリア、すなわち、データキャリア２Ｕ，２Ｖ，２Ｗ，２Ｘ，２Ｙ，２Ｚも通信範囲内に存在している。列挙されたデータキャリアのうち、データキャリア２Ａ，２Ｇ，２Ｓは、第１の問い合わせ時間ＩＰＥＲ１中に明確に識別された。
【００６６】
各第２の組み合わせ信号（ＩＤＢ＋ＱＤＢ）２は、前述したデータキャリア２Ａ，２Ｂ，２Ｃ，２Ｄ，２Ｅ，２Ｆ，２Ｇ，２Ｓ，２Ｕ，２Ｖ，２Ｗ，２Ｘ，２Ｙ，２Ｚに与えられる。その後、第２の組み合わせ信号（ＩＤＢ＋ＱＤＢ）２内の問い合わせ信号は、問い合わせ信号検出手段５８によって抽出されて評価される。これについては更に詳細に説明しない。また、第２の認識信号ＱＤＢ２は、認識信号検出手段５９によって、第２の組み合わせ信号（ＩＤＢ＋ＱＤＢ）２から抽出されて評価される。その後、認識信号検出手段５９は、第２の検出情報ＲＥＳ２をプロセス制御手段５６に供給する。その後、既に明確に識別されているデータキャリア２Ａ，２Ｇ，２Ｓにおいて認識プロセスが行なわれる。この認識プロセスは、第１、第４、第８の時間帯に関連付けられ且つビット値「１」を有するメインビットＭＢの評価によって行なわれる。すなわち、データキャリア２Ａ，２Ｇ，２Ｓに関して認識が達成される場合、これらの時間帯数記憶手段６６に記憶された時間帯数ＴＳＮＯの情報により、先の第１の問い合わせサイクルＩＰＥＲ１中のどの時間帯でこれらが応答信号を供給したかが分かっているため、これらの３つのデータキャリア２Ａ，２Ｇ，２Ｓは、アイドル状態に設定され、その結果、もはや、第２の組み合わせ信号（ＩＤＢ＋ＱＤＢ）２に含まれる問い合わせ信号にも、任意の他の問い合わせ信号にも応答しない。他のデータキャリア２Ｂ，２Ｃ，２Ｄ，２Ｅ，２Ｆ，２Ｕ，２Ｖ，２Ｗ，２Ｘ，２Ｙ，２Ｚに関しては認識が行なわれず、したがって、これらは、第２の組み合わせ信号（ＩＤＢ＋ＱＤＢ）２に含まれる問い合わせ信号に応答する。
【００６７】
第２の組み合わせ信号（ＩＤＢ＋ＱＤＢ）２に含まれる問い合わせ信号に対する前述した応答の結果、認識されていないデータキャリアのそれぞれにおいて、時間帯ＴＳが選択される。この時間帯ＴＳにおいて、関連するデータキャリア２は、その次の応答信号ＲＤＢを供給する。関連する時間帯ＴＳは、時間帯決定手段６５によって再び決定される。
【００６８】
第２の問い合わせサイクルＩＰＥＲ２中において、２つのデータキャリア２Ｂ，２Ｅは、共に、第１の時間帯ＴＳ１”で、それらの応答信号ＲＤＢ−２ＢおよびＲＤＢ−２Ｅを通信ステーション１に送信すると仮定する（図４の項目５参照）。また、データキャリア２Ｃは、第２の時間帯ＴＳ２”で、その応答信号ＲＤＢ−２Ｃを通信ステーション１に単独で送信し、データキャリア２Ｆは、第３の時間帯ＴＳ３”で、その応答信号ＲＤＢ−２Ｆを単独で送信し、２つのデータキャリア２Ｕ，２Ｖは、第５の時間帯ＴＳ５”で、それらの応答信号を送信し、データキャリア２Ｗ，２Ｘ，２Ｙは、第６の時間帯ＴＳ６”で、それらの応答信号を送信し、データキャリア２Ｚは、第７の時間帯ＴＳ７”で、その応答信号を送信すると仮定する。更に、全てのデータキャリアがその応答信号を通信ステーション１に高い信号強度で送信し、その結果、前記信号が高い信号レベルで通信ステーション１によって受信されると仮定する。
【００６９】
前述した仮定の結果、データキャリア２Ｃ，２Ｆ，２Ｚは、接続部１５を介してデコード手段１０によりプロセス制御手段６の応答信号識別手段６Ｂにそれぞれ供給されるそれらの応答信号に基づいて、応答信号識別手段６Ｂにより明確に識別される。この場合の他の結果は、次の第３の問い合わせサイクルＩＰＥＲ３において、次の第３の認識信号ＱＤＢ３の形成中に、第２、第３、第７の時間帯に関連付けられたメインビットＭＢが値「１」に設定される。
【００７０】
第２の問い合わせサイクルＩＰＥＲ２中において、衝突検出手段１１は、第１の時間帯、第５の時間帯、第６の時間帯で衝突を検出する。その結果、次の第３の問い合わせサイクルＩＰＥＲ３において、次の第３の認識信号ＱＤＢ３の形成中に、第１、第５、第６の時間帯に関連するメインビットＭＢが値「０」に設定される。
【００７１】
第２の問い合わせサイクルＩＰＥＲ２中に通信ステーション１によって全ての応答信号ＲＤＢが高い信号レベルで受信されるため、第３の認識信号ＱＤＢ３の全ての別個のビットＡＢは、次の第３の問い合わせサイクルＩＰＥＲ３で、次の第３の認識信号ＱＤＢ３の形成中に、値「１」に設定される。
【００７２】
第２の問い合わせサイクルＩＰＥＲ２中に通信ステーション１によって受信された応答信号ＲＤＢの評価の後、第２の問い合わせサイクルＩＰＥＲ２が終了する。この直後、第３の問い合わせサイクルＩＰＥＲ３が開始される。第３の問い合わせサイクルＩＰＥＲ３では、第３の組み合わせ信号（ＩＤＢ＋ＱＤＢ）３が通信ステーション１からデータキャリア２に送信される（図４の項目６参照）。各データキャリア２によって第３の組み合わせ信号（ＩＤＢ＋ＱＤＢ）３が受信された後、第３の組み合わせ信号（ＩＤＢ＋ＱＤＢ）３に含まれる認識信号ＱＤＢ３は、認識信号検出手段５９によって評価される。第２の問い合わせサイクルＩＰＥＲ２中のどの時間帯で応答信号を送信したかが分かっているデータキャリア２Ｃ，２Ｆ，２Ｚに関しては、メインビットＭＢが値「１」に設定されているため、この評価は、前記データキャリアの認識を引き起こす。これは、これらのデータキャリアが、ちょうど開始された第３の問い合わせサイクルＩＰＥＲ３および次の第４の問い合わせサイクルＩＰＥＲ４等において無効とされ、結果としてもはやこれらの問い合わせサイクルに加わらないことを意味している。
【００７３】
第３の問い合わせサイクルＩＰＥＲ３において、データキャリア２Ｕ，２Ｗ，２Ｂ，２Ｙは、第１の時間帯ＴＳ１”’、第２の時間帯ＴＳ２’”、第３の時間帯ＴＳ３’”、第８の時間帯ＴＳ８’”でそれぞれ、それらの応答信号を通信ステーション１に個別に送信すると仮定する（図４の項目７参照）。また、データキャリア２Ｅ，２Ｖ，２Ｘは、一緒になって、第４の時間帯ＴＳ４’”で、それらの応答信号を送信すると仮定する。更に、通信ステーション１の通信範囲内に新たに入ってきた２つのデータキャリア２Ｋ，２Ｌは、共に、第６の時間帯ＴＳ６’”で、それらの応答信号を送信すると仮定する。この場合、更に、第３の問い合わせサイクルＩＰＥＲ３に加わるデータキャリア２Ｕ，２Ｗ，２Ｂ，２Ｅ，２Ｖ，２Ｘ，２Ｋ，２Ｌがその応答信号を高い信号強度で送信し、その結果、これらの応答信号が高い信号レベルで通信ステーション１によって受信され、また、第３の問い合わせサイクルＩＰＥＲ３に加わるデータキャリア２Ｙがその応答信号を小さい信号強度で供給し、この応答信号が通信ステーション１によって低い信号レベルで受信されると仮定する。
【００７４】
前述した仮定により、第４の問い合わせサイクルＩＰＥＲ４においてデータキャリア２に送信される認識信号ＱＤＢ４は、その後、第４の問い合わせサイクルＩＰＥＲ４中に形成される。データキャリア２Ｕ，２Ｗ，２Ｂ，２Ｙから１つの応答信号が受信される結果、第１、第２、第３、８の時間帯に関連付けられる第４の認識信号ＱＤＢ４（図４の項目８．１参照）のメインビットＭＢはそれぞれ値「１」に設定される。第３の問い合わせサイクルＩＰＥＲ３中に衝突が生じた第４の時間帯ＴＳ４’”、第６の時間帯ＴＳ６’”での衝突により、これらの時間帯に対応する第４の認識信号ＱＤＢ４のメインビットは、値「０」に設定される。データキャリア２Ｙからの応答信号の低い信号レベルの結果、第４の認識信号ＱＤＢ４の第８の時間帯に関連付けられた別個のビットＡＢは値「０」に設定され、他の全ての応答信号が高いレベルで受信された結果、第４の認識信号ＱＤＢ４の第１、第２、第３、第４、第６の時間帯に関連付けられた別個のビットＡＢは値「１」に設定される。
【００７５】
第３の問い合わせサイクルＩＰＥＲ３が終了した後、第４の問い合わせサイクルＩＰＥＲ４が開始される。このサイクルにおいて、通信ステーション１は、通信範囲内に存在する全てのデータキャリア２Ｕ，２Ｗ，２Ｂ，２Ｅ，２Ｖ，２Ｘ，２Ｋ，２Ｌ，２Ｙ，２Ｍ，２Ｎ，２Ｐに第４の組み合わせ信号（ＩＤＢ＋ＱＤＢ）４を送信する。これらのデータキャリアのうち、データキャリア２Ｕ，２Ｗ，２Ｂ，２Ｅ，２Ｖ，２Ｘ，２Ｋ，２Ｌ，２Ｙは、第３の問い合わせサイクルＩＰＥＲ３中に通信ステーション１の通信範囲内に既に存在していた。一方、データキャリア２Ｍ，２Ｎ，２Ｐは、この通信範囲内に新たに入ってきた。第１、第２、第３、第８の時間帯に関連付けられ且つ値「１」を有するメインビットＭＢにより、データキャリア２Ｕ，２Ｗ，２Ｂ，２Ｙに関して認識が達成される場合、これらの時間帯数記憶手段６６に記憶された時間帯数ＴＳＮＯにより、第３の問い合わせサイクルＩＰＥＲ３中のどの時間帯でこれらが応答信号を供給したかが分かっているため、これらのデータキャリアはアイドル状態に設定される。他のデータキャリア２Ｋ，２Ｖ，２Ｍ，２Ｎ，２Ｐ，２Ｅ，２Ｘ，２Ｌは、第４の問い合わせサイクルＩＰＥＲ４に加わる。
【００７６】
前述したデータキャリアのうち、データキャリア２Ｋ，２Ｖ，２Ｐ，２Ｌは、第１の時間帯ＴＳ１””、第３の時間帯ＴＳ３””、第５の時間帯ＴＳ５””、第８の時間帯ＴＳ８””で、それらの応答信号を個別に送信すると仮定する（図４の項目９参照）。また、２つのデータキャリア２Ｍ，２Ｎは、共に、第４の時間帯ＴＳ４””で、それらの応答信号を送信すると仮定する。更に、２つのデータキャリア２Ｅ，２Ｘは、共に、第６の時間帯ＴＳ６””で、それらの応答信号を送信すると仮定する。この場合、更に、データキャリア２Ｘが低い信号強度でその応答信号を送信し、その結果、通信ステーション１によって応答信号が低い信号レベルで受信されると仮定する。他のデータキャリア２Ｋ，２Ｖ，２Ｍ，２Ｎ，２Ｐ，２Ｅ，２Ｌの応答信号は、高い信号強度を有しており、その結果、通信ステーション１によって高い信号レベルで受信される。
【００７７】
前述した仮定の結果、通信ステーション１は、次の第５の問い合わせサイクルＩＰＥＲ５中において、第５の認識信号ＱＤＢ５を形成する。この場合、データキャリア２Ｋ，２Ｖ，２Ｐ，２Ｌから応答信号を別個に受信するため、第１、第３、第５、第８の時間帯に関連付けられたメインビットＭＢはそれぞれ値「１」に設定される。第４の時間帯ＴＳ４””においては、衝突のため、第４の時間帯に関連付けられたメインビットＭＢが第５の認識信号ＱＤＢ５において値「０」に設定されている。
【００７８】
２つのデータキャリア、すなわち、２つのデータキャリア２Ｅ，２Ｘは、第４の問い合わせサイクルＩＰＥＲ４中に第６の時間帯ＴＳ６””で通信ステーション１にそれらの応答信号を送信するが、通信ステーション１は、１つの応答信号だけ、すなわち、その応答信号を高い信号強度で送信するデータキャリア２Ｅからの応答信号だけを検出する。しかしながら、他のデータキャリア２Ｘは、その応答信号を、通信ステーション１がこの応答信号を受信することができないような小さい信号強度で送信する。実際に、そのような状況は、データキャリア、この場合にはデータキャリア２Ｘが通信ステーション１から遠く離れて位置している場合に起こる。このような距離でも、データキャリアは比較的低いレベルで組み合わせ信号（ＩＤＢ＋ＱＤＢ）を受信することができ、この組み合わせ信号は、通信ステーション１によって常に高いレベルで送信されるが、データキャリアによって比較的低いレベルでのみ形成可能な応答信号は、通信ステーション１によって受信するためにはあまりにも弱すぎる。この場合、データキャリア２Ｘは、応答信号を送信する。すなわち、データキャリア２Ｘは、第４の問い合わせサイクルＩＰＥＲ４中において時間帯ＴＳ６””で応答信号を送信したが、通信ステーション１はこの応答信号を受信しなかった。しかしながら、第６の時間帯ＴＳ６””中において、通信ステーション１は、データキャリア２Ｅからの応答信号を受信する。これは、この応答信号が高い信号レベルで通信シテーション１に到達するからである。この結果、信号強度検出手段１２は、第６の時間帯ＴＳ６””において高い信号レベルの応答信号を検出し、その結果、高レベル情報ＨＬＩ１を形成して、これをプロセス制御手段６に接続部１７を介して供給する。この結果、第５の認識信号ＱＤＢ５において、第６の時間帯に関連付けられた別個のビットＡＢが値「１」に設定される。これは、第１の時間体ＴＳ１、第３の時間帯ＴＳ３、第４の時間帯ＴＳ４、第５の時間帯ＴＳ５、第８の時間帯ＴＳ８に関連付けられた別個のビットＡＢの場合と同じであり、これらの別個のビットも全て値「１」に設定される。
【００７９】
第４の問い合わせサイクルＩＰＥＲ４が終了した後、第５の問い合わせサイクルＩＰＥＲ５が開始される。この開始の直後、通信ステーション１は、通信範囲内に存在する全てのデータキャリア２Ｋ，２Ｖ，２Ｍ，２Ｎ，２Ｐ，２Ｅ，２Ｘ，２Ｌに対して、第５の組み合わせ信号（ＩＤＢ＋ＱＤＢ）５を送信する。この結果、第５の認識信号ＱＤＢ５が認識信号検出手段５９によって評価され、その結果、データキャリア２Ｋ，２Ｖ，２Ｐ，２Ｌは、時間帯数記憶手段６６に記憶された関連する時間帯数ＴＳＮＯにより、第４の問い合わせサイクルＩＰＥＲ４中のどの時間帯でこれらが応答信号を供給したかが分かっているため、値「１」を有する各メインビットＭＢによって破棄され、結果として、アイドル状態に設定される。
【００８０】
この状況において、その応答信号が高い信号レベルで受信されたデータキャリア２Ｅは、第５の認識信号ＱＤＢ５において第６の時間帯に関連付けられたメインビットＭＢにより破棄される。このメインビットＭＢは値「１」に設定されているが、その応答信号がこのデータキャリアによって低い信号強度で送信され且つ通信ステーション１によってもはや受信されなかったデータキャリア２Ｘは、第６の時間帯に関連付けられたメインビットＭＢが値「１」を有しているにもかかわらず、破棄されない。これは、通信ステーション１からデータキャリア２Ｘへの第４の組み合わせ信号（ＩＤＢ＋ＱＤＢ）４の送信中に、データキャリア２Ｘの信号強度検出手段５２が、弱い信号レベルでのみデータキャリア２Ｘに組み合わせ信号（ＩＤＢ＋ＱＤＢ）４が送信されたことを検出したためである。これに応じて、前記信号強度検出手段５２は、低レベル情報ＬＬＩ２を形成して、ライン５４および接続部７６を介してデータキャリア２Ｘのプロセス制御手段５６に供給する。これは、データキャリア２Ｘにおいて、それが低い信号レベルでのみ通信ステーション１によって送信される信号を受信することができるデータキャリアであることが分かっていることを意味する。しかしながら、また、これは、通信ステーション１が非常に弱い信号レベルでのみデータキャリア２Ｘによって形成される信号を受信することができること、あるいは、全く受信することができないことも意味している。したがって、データキャリア２Ｘのプロセス制御手段５６においては、データキャリア２Ｘが、非常に弱い信号だけを供給するデータキャリアであることが分かっている。しかしながら、第４の問い合わせサイクルＩＰＥＲ４の第６の時間帯ＴＳ６””で通信ステーション１が高レベルの応答信号を受信したことは、認識信号検出手段５９によって、第５の認識信号ＱＤＢ５から、すなわち、第６の時間帯に関連付けられ且つ値「１」を有するメインビットＭＢから決定される。しかしながら、これは、他のデータキャリアからの応答信号、この場合、データキャリア２Ｅからの応答信号でなければならない。なぜなら、それは、弱い信号を供給するデータキャリアであるデータキャリア２Ｘの応答信号とはなり得ないからである。したがって、認識信号検出手段５９によって、強い信号を供給するデータキャリアを示す高レベル情報を形成する第２の検出情報ＲＥＳ２がプロセス制御手段５６に与えられ、一方、プロセス制御手段５６は、接続部７６を介して低レベル情報ＬＬＩ２も受信する。この低レベル情報ＬＬＩ２は、弱い信号を供給するデータキャリアを示している。これらの２つの情報項目、すなわち、この場合、高レベル情報を形成する第２の検出情報ＲＥＳ２および低レベル情報は、互いに相反しており、プロセス制御手段５６によって検出される結果として、データキャリア２Ｘは、認識されず、したがって、次の問い合わせサイクルにおいて認識されないデータキャリアと見なされる。
【００８１】
したがって、認識されていない３つのデータキャリア２Ｍ，２Ｎ，２Ｘだけが第５の問い合わせサイクルＩＰＥＲ５に加わる（図４の項目１１参照）。これらの３つの各データキャリア２Ｍ，２Ｎ，２Ｘは、時間帯ＴＳ２””、時間帯ＴＳ４””　、時間帯ＴＳ６””でそれぞれ、それらの応答信号を別個に通信ステーション１に供給すると仮定する。ここで、２つのデータキャリア２Ｍ，２Ｘは、それらの応答信号を低い信号レベルで供給するとともに、データキャリア２Ｎは、その応答信号を高い信号レベルで供給し、したがって、３つのデータキャリア２Ｍ，２Ｎ，２Ｘからの３つの応答信号が全て通信ステーション１によって受信されると仮定する。この結果、第６の問い合わせサイクルＩＰＥＲ６でその後に形成される第６の認識信号ＱＤＢ６において、第２、第４、第６の時間帯に関連付けられた３つのメインビットＭＢは、値「１」に設定されるとともに、第２の時間帯および第６の時間帯に関連付けられた別個のビットＡＢが値「０」に設定され、第４の時間帯に関連付けられた別個のビットＡＢが値「１」に設定される。
【００８２】
第５の問い合わせサイクルＩＰＥＲ５が終了した後、第６の問い合わせサイクルＩＰＥＲ６が開始される。このサイクルにおいて、通信ステーション１は、開始直後に、データキャリア２Ｍ，２Ｎ，２Ｘに対して、第６の組み合わせ信号（ＩＤＢ＋ＱＤＢ）６を送信する（図４の項目１２参照）。この結果、認識信号検出手段５９は、第２、第４、第６の時間帯に関連付けられ且つ値「１」を有するメインビットＭＢを検出する。その結果、３つのデータキャリア２Ｍ，２Ｎ，２Ｘは、時間帯数記憶手段６６に記憶された各時間帯数ＴＳＮＯにより、第５の問い合わせサイクルＩＰＥＲ５中のどの時間帯でこれらが応答信号を供給したかが分かっているため、破棄される。したがって、第６の問い合わせサイクルＩＰＥＲ６中においては、いずれのデータキャリア２も応答信号を形成せず（図４の項目１３参照）、したがって、通信ステーション１は、もはや、応答信号を受信しない。このため、通信ステーションは、次の問い合わせサイクルＩＰＥＲ７において、第７の認識信号ＱＤＢ７を形成する。この信号Ｉにおいて、全てのメインビットＭＢおよび全ての別個のビットＡＢは、第１の認識信号ＱＤＢ１と同様に、値「０」に設定される（図４の項目１４および１参照）。
【００８３】
第６の問い合わせサイクルＩＰＥＲ６の終了後、第７の問い合わせサイクルＩＰＥＲ７が開始される。この時、通信ステーション１は第７の組み合わせ信号（ＩＤＢ＋ＱＤＢ）７を供給する（図４の項目１４参照）。第７の組み合わせ信号（ＩＤＢ＋ＱＤＢ）７は第７の認識信号ＱＤＢ７を含んでいる。もはや、通信ステーション１の通信範囲内には、認識されていないデータキャリア２が全く存在しないため、通信ステーション１の通信範囲内に新たなデータキャリアが入ってこない場合には、第７の問い合わせサイクルＩＰＥＲ７で、全体の問い合わせサイクルが終了する（図４の項目１５）。
【００８４】
前述した方法は、問い合わせサイクルＩＰＥＲｎ中に識別されるデータキャリアの認識が同じ問い合わせサイクルＩＰＥＲｎ内で行なわれず、次の問い合わせサイクルＩＰＥＲｎ＋１になって初めて認識が行なわれるという大きな利点を有している。この認識は、非常に有効で且つ簡単な方法によって行なわれる。なぜなら、問い合わせサイクルＩＰＥＲｎ中に識別される全てのデータキャリア２の認識は、好ましくは所定数の別個のビットＡＢによって形成されるたった１つの認識信号ＱＤＢによって同時に行なわれるからである。
【００８５】
図１に示される通信ステーション１および図２に示されるデータキャリア２によって行なわれる前述した方法においては、認識信号ＱＤＢの形成中に、各メインビットＭＢとともに、１つの別箇のビットＡＢだけが形成される。これは、通信ステーション１の信号強度検出手段１２およびデータキャリア２の信号強度検出手段５２がたった１つの閾値で動作し、その結果、この１つの閾値にのみ関連して信号強度を決定できるためである。なお、そのような信号強度検出手段は、複数の閾値によって、選択的に動作することができる。この場合、複数の信号強度ステップの振幅によって信号強度を評価して決定することができる。その結果、１つの別箇のビットＡＢだけを使用することがもはや不可能となり、少なくとも２つの別箇のビットＡＢが認識信号ＱＤＢの各メインビットに関連付けられる。
【００８６】
また、前述した方法に関して述べると、図３から明らかなように、この方法を用いると、時間帯ＴＳのための時間および応答信号ＲＤＢのための時間を、それらが実質的に同じ長さとなるように選択することが可能となり、その結果、連続的な応答信号ＲＤＢ間に時間の空白がなくなり、問い合わせプロセスの全体の所要時間を最小にするという利点がある。しかしながら、時間帯ＴＳのための時間を応答信号ＲＤＢのための時間よりも僅かに長く選択することが有利な場合もある。この場合、時間帯ＴＳの時間の長さと応答信号ＲＤＢの時間の長さとの間の時間差を大きく選択して、２つの連続する応答信号ＲＤＢ間に約３００μｓの時間的マージンを得るようにしても良い。
【図面の簡単な説明】
【図１】
データキャリアと通信する本発明に係る通信ステーションを概略的に示すブロック図である。
【図２】
図１に示される通信ステーションと通信するデータキャリアの図１と同様な図を示している。
【図３】
図１に示される通信ステーションと図２に示されるデータキャリアとの間での通信のための本発明に係る方法において連続して現れる様々な信号の時間系列を示す概略図である。
【図４】
図３に部分的に示される様々な信号の時間系列を示す概略図である。
【国際公開パンフレット】
2004505388.tif 000003
2004505388.tif 000004
2004505388.tif 000005
2004505388.tif 000006
2004505388.tif 000007
2004505388.tif 000008
2004505388.tif 000009
2004505388.tif 000010
2004505388.tif 000011
2004505388.tif 000012
2004505388.tif 000013
2004505388.tif 000014
2004505388.tif 000015
2004505388.tif 000016
2004505388.tif 000017
2004505388.tif 000018
2004505388.tif 000019
2004505388.tif 000020
2004505388.tif 000021
2004505388.tif 000022
2004505388.tif 000023
2004505388.tif 000024
2004505388.tif 000025
2004505388.tif 000026
2004505388.tif 000027
2004505388.tif 000028
2004505388.tif 000029
2004505388.tif 000030
2004505388.tif 000031
2004505388.tif 000032
2004505388.tif 000033
2004505388.tif 000034
2004505388.tif 000035
2004505388.tif 000036
2004505388.tif 000037
2004505388.tif 000038
2004505388.tif 000039
【国際調査報告】
2004505388.tif 000040
2004505388.tif 000041